(57)【特許請求の範囲】
【請求項１】
容器本体に塗布ノズルを設け、容器本体の内容液を塗布ノズルの注出口から注出し、注出した液体を塗布ノズルの注出口回りの塗布作業面により被塗布部に塗布可能とする液体塗布容器であって、
前記塗布ノズルが、容器本体側に固定されるノズル本体と、ノズル本体の先端部に嵌着される塗布ヘッドとからなり、
前記塗布ノズルが、塗布ヘッドをノズル本体の先端部回りで該ノズル本体の軸方向に上下動でき、広域塗布作業モードと狭小域塗布作業モードとに切換設定可能とされ、
前記狭小域塗布作業モードでは、容器本体から注出口に連通する導液路の内径ｄ１より大きな口径ｄ２を注出口とし、
前記広域塗布作業モードでは、前記狭小域塗布作業モードの注出口に連続し、該注出口よりも大きな口径ｄ３を注出口とすることを特徴とする液体塗布容器。
【請求項２】
前記ノズル本体回りの内外の２位置に液ダレ保留筒とキャップ受筒の２重筒を備え、ノズル本体と液ダレ保留筒との間に液ダレ保留溝を形成する請求項１記載の液体塗布容器。
【請求項３】
前記塗布ノズルの塗布ヘッドをノズル本体の先端部を回転軸として回転自在としてなる請求項１又は２記載の液体塗布容器。
【請求項４】
前記塗布ヘッドがノズル本体の先端面と略面一をなす広域塗布作業モードと、塗布ヘッドがノズル本体の基部寄りに待機せしめられる狭小域塗布作業モードとに切換設定可能とされるように、塗布ヘッドとノズル本体とに各々係止部を設けた請求項１〜３のいずれかに記載の液体塗布容器。
【請求項５】
前記塗布ノズルに被着されるカバーキャップを有し、該カバーキャップの頂部内面に備えた封止ピンが、該カバーキャップを塗布ノズルに封着した状態で、前記ノズル本体の注出口に封着される請求項１〜４のいずれかに記載の液体塗布容器。
【発明の詳細な説明】
【０００１】
【発明の属する技術分野】
本発明は液体塗布容器に関する。
【０００２】
【従来の技術】
従来、洗剤等のための液体塗布容器として、実開平1-126954号公報に記載の如く、スクイズ性のある容器本体に塗布ノズルを設け、容器本体の内容液を塗布ノズルの注出口から注出し、注出した液体を塗布ノズルの注出口回りの塗布作業面により、Ｙシャツの襟等の被塗布部に塗布可能としている。
【０００３】
このとき、従来技術では、塗布ノズルを、容器本体に固定したノズル本体と、ノズル本体の先端部回りに着脱される塗布ヘッドとにより構成している。そして、被塗布部の塗布対象域が広い面積に渡る場合には、ノズル本体の先端部に塗布ヘッドを嵌着し、ノズル本体を経て塗布ヘッドの注出口から注出した液体を塗布ヘッドの注出口回りの大きな塗布作業面により被塗布部の広い塗布対象域に塗布可能としている。他方、被塗布部の塗布対象域が狭小の場合には、ノズル本体の先端部から塗布ヘッドを取外し、ノズル本体の先端部の注出口から注出した液体をノズル本体の注出口回りの端面の小さな塗布作業面により被塗布部の狭小な塗布対象域に塗布可能としている。
【０００４】
【発明が解決しようとする課題】
然しながら、従来技術では、塗布ノズルが、ノズル本体の先端部回りに塗布ヘッドを着脱するに際し、塗布ヘッドをノズル本体の先端部から取外す必要があり、この取外した塗布ヘッドをノズル本体回りに可撓片で連結している。
このため、塗布ヘッドをノズル本体の先端部から取外した状態で、容器本体を逆さにして、ノズル本体の小さな塗布作業面により被塗布部の狭小な塗布対象域への塗布を行なうとき、塗布ヘッドがノズル本体回りでブラブラし、これが塗布作業の邪魔になる。
【０００５】
本発明の課題は、塗布ノズルが狭域塗布用のノズル本体の先端部回りに広域塗布用の塗布ヘッドを備えるに際し、塗布作業性を向上することにある。
【０００６】
【課題を解決するための手段】
請求項１に記載の本発明は、容器本体に塗布ノズルを設け、容器本体の内容液を塗布ノズルの注出口から注出し、注出した液体を塗布ノズルの注出口回りの塗布作業面により被塗布部に塗布可能とする液体塗布容器であって、前記塗布ノズルが、容器本体側に固定されるノズル本体と、ノズル本体の先端部に嵌着される塗布ヘッドとからなり、前記塗布ノズルが、塗布ヘッドをノズル本体の先端部回りで該ノズル本体の軸方向に上下動でき、広域塗布作業モードと狭小域塗布作業モードとに切換設定可能とされ、前記狭小域塗布作業モードでは、容器本体から注出口に連通する導液路の内径ｄ１より大きな口径ｄ２を注出口とし、前記広域塗布作業モードでは、前記狭小域塗布作業モードの注出口に連続し、該注出口よりも大きな口径ｄ３を注出口とするようにしたものである。
【００１４】
【発明の実施の形態】
図１は液体塗布容器を示す模式図、図２は塗布ノズルを示す模式図、図３は塗布ノズルにおける塗布ヘッドの上下切換設定状態を示す模式図、図４は塗布ノズルの液ダレ保留状態を示す模式図である。
【００１５】
（液体塗布容器１０）（図１〜図４）
液体塗布容器１０は、図１に示す如く、スクイズ性（押圧変形性）のある容器本体１１の開口部１１Ａに塗布ノズル２０を設け、塗布ノズル２０をカバーキャップ１２により被覆可能としている。尚、容器１０は、容器本体１１の開口部１１Ａをもつ首部１１Ｂを鉛直軸に対し前傾させ、これによって、容器本体１１を正立状態から逆さにして塗布ノズル２０を被塗布部に近付ける際の、使用者の手首の回転角を小とし、操作性を向上可能とすることとしている。
【００１６】
塗布ノズル２０は、図２に示す如く、容器本体１１の開口部１１Ａに設けたおねじ部に螺着されるめねじ部を備えた取付部２１と、取付部２１の天面部２１Ａの通液路２１Ｂに連なるロング状ノズル本体２２と、ノズル本体２２の先端細径部２２Ａ回りに嵌着されるリング状塗布ヘッド２３とからなる。
【００１７】
塗布ノズル２０は、図３に示す如く、塗布ヘッド２３をノズル本体２２の先端細径部２２Ａ回りで該ノズル本体２２の軸方向に上下動できる。塗布ヘッド２３は、上動位置で、塗布ヘッド２３の嵌合係止部２３Ａをノズル本体２２の先端細径部２２Ａの外周の上係止部３１に係止せしめられ、該塗布ヘッド２３を広域塗布作業モード（図３（Ａ））に切換設定される。他方、塗布ヘッド２３は、下動位置で、塗布ヘッド２３の嵌合係止部２３Ａをノズル本体２２の先端細径部２２Ａの外周の下係止部３２に係止せしめられ、該ノズル本体２３を狭小域塗布作業モード（図３（Ｂ））に切換設定される。
【００１８】
ノズル本体２２は、先端細径部２２Ａの先端面に注出口２２Ｂを開口し、この先端面を小面積の塗布作業面２２Ｃとし、取付部２１の通液路２１Ｂを注出口２２Ｂに連通する導液路２２Ｄを備える。塗布ヘッド２３は、ノズル本体２２の先端細径部２２Ａ回りで広域塗布作業モードに設定された状態で、ノズル本体２２の注出口２２Ｂに連なる注出口２３Ｂを開口し、この注出口２３Ｂ回りに大面積の塗布作業面２３Ｃを形成している。また、塗布ヘッド２３は、塗布作業面２３Ｃの背面側にリブ２３Ｄを備えている。
【００１９】
塗布ノズル２０は、塗布ヘッド２３を広域塗布作業モードに設定したとき、塗布ヘッド２３をノズル本体２２の先端面と略面一とし、塗布ヘッド２３の注出口２３Ｂをノズル本体２２の注出口２２Ｂに連続化せしめる。他方、塗布ノズル２０は、塗布ヘッド２３を狭小域塗布作業モードに設定したとき、塗布ヘッド２３をノズル本体２２の基部寄りに待機せしめるものとなる。
【００２０】
塗布ノズル２０は、ノズル本体２２の導液路２２Ｄの内径をｄ1 、注出口２２Ｂの口径をｄ2 、塗布ヘッド２３の注出口２３Ｂの口径をｄ3 とするとき、ｄ1 ＜ｄ2 ＜ｄ3 としている。即ち、塗布ノズル２０は、塗布ヘッド２３を広域塗布作業モードに設定したとき、塗布ヘッド２３の注出口２３Ｂから内容液を注出せしめるものとなり、そのときの注出口径ｄ3 を導液路２２Ｄの内径ｄ1 より相当に大きくしている。また、塗布ノズル２０は、塗布ヘッド２３を狭小域塗布作業モードに設定したとき、塗布ヘッド２３がノズル本体２２の基部寄りに待機せしめられるから、ノズル本体２２は注出口２２Ｂから内容液を注出せしめるものとなるが、このときの注出口径ｄ2 も導液路２２Ｄの内径ｄ1 より大きくなる。
【００２１】
塗布ノズル２０は、取付部２１の天面部２１Ａの上で、ノズル本体２２回りにて２重に同心状をなす内外の２位置に液ダレ保留筒２４とキャップ受筒２５とを備える。
【００２２】
液ダレ保留筒２４は、取付部２１の天面部２１Ａの上でノズル本体２２との間に、塗布ノズル２０の塗布ヘッド２３が形成する塗布作業面２３Ｃ回りの外周部に連なる液ダレ保留溝２４Ａを形成する。塗布ノズル２０の塗布ヘッド２３から滴下しようとする液ダレは、塗布ヘッド２３の背面側に回ってリブ２３Ｄを橋絡部としてノズル本体２２の外面に伝わり、ひいては液ダレ保留溝２４Ａに一時保留せしめられる（図４）。
【００２３】
塗布ノズル２０は、ノズル本体２２の先端細径部２２Ａ回りに嵌着した塗布ヘッド２３を該先端細径部２２Ａ回りで回転自在としている。従って、広域塗布作業モードに設定された塗布ヘッド２３により被塗布部の広い塗布対象域を塗布するとき、塗布ヘッド２３は被塗布部に押付けられて抵抗なくローリングしつつ、スムースな塗布を行なうことができる。
【００２４】
尚、液体塗布容器１０において、塗布ノズル２０に被着されるカバーキャップ１２は、その頂部内面に封止ピン１２Ａを備えている。カバーキャップ１２を塗布ノズル２０に封着した状態で、封止ピン１２Ａはノズル本体２２の注出口２２Ｂに封着する。
【００２５】
従って、液体塗布容器１０は以下の如く用いられる。
(1) 容器本体１１に固定してある塗布ノズル２０のキャップ受筒２５からカバーキャップ１２を外す。被塗布部の塗布対象域が広い場合には塗布ヘッド２３をノズル本体２２回りの上動位置である広域塗布作業モードに設定し、被塗布部の塗布対象域が狭い場合には塗布ヘッド２３をノズル本体２２回りの下動位置である狭小域塗布作業モードに設定する。
【００２６】
(2) 容器本体１１を逆さにして塗布ノズル２０を被塗布部に近付ける。
【００２７】
(3) 塗布ノズル２０を被塗布部に押付けた状態で、容器本体１１をスクイズ変形して内容液を押出し、塗布ノズル２０により被塗布部に塗布する。広い塗布対象域に対しては広域塗布作業モードに設定された塗布ヘッド２３の塗布作業面２３Ｃにより塗布が行なわれ、狭い塗布対象域に対してはノズル本体２２の塗布作業面２２Ｃによる塗布が行なわれる。
【００２８】
(4) 容器本体１１を正立状態に戻し、塗布ノズル２０のキャップ受筒２５にカバーキャップ１２を被着し、液体塗布容器１０の使用を終る。
【００２９】
本実施形態によれば以下の作用がある。
▲１▼塗布ヘッド２３をノズル本体２２の先端細径部２２Ａ回りで上下動し、塗布ヘッド２３を広域塗布作業モードと狭小域塗布作業モードとに切換設定できるようした。従って、被塗布部の塗布対象域が広い場合には塗布ヘッド２３を広域塗布作業モードに設定し、塗布ヘッド２３の大きな塗布作業面２３Ｃにより広い面積を迅速に能率的に塗布できる。他方、塗布対象域が狭い場合には塗布ヘッド２３を狭小域塗布作業モードに設定し、ノズル本体２２の先端細径部２２Ａの端面の小さな塗布作業面２２Ｃにより狭小な塗布対象域に狙いをつけて、塗布作業域外を無用な塗布液により汚損することなく、狭小な面積を迅速に能率的に塗布できる。
【００３０】
▲２▼液体塗布容器１０の使用後、容器本体１１を正立させると、塗布ノズル２０の塗布ヘッド２３が形成する塗布作業面２３Ｃ回りから液ダレを生ずることがある。この液ダレは、塗布ノズル２０の外回りを伝わって液ダレ保留溝２４Ａに一時保留される。そして、次回の使用時に、容器本体１１を逆さにすると、液ダレ保留溝２４Ａに保留されていた液体が、塗布ノズル２０の外回りを前述と逆方向に伝わって塗布ノズル２０の塗布ヘッド２３が形成する塗布作業面２３Ｃに戻され、被塗布部に塗布される。これにより、液ダレによる容器１０回りの汚損を防止できる。
【００３１】
▲３▼塗布ノズル２０の塗布ヘッド２３をノズル本体２２の先端細径部２２Ａ回りで回転自在としたから、塗布ヘッド２３の塗布作業面２３Ｃを被塗布部の繊維面等の表面に対して押付けて抵抗なくローリングさせつつ、スムースに塗布できる。
【００３２】
▲４▼塗布ヘッド２３をノズル本体２２の先端細径部２２Ａに嵌着しながら上下動することにより、塗布ヘッド２３を広域塗布作業モードと狭小域塗布作業モードとに切換設定するものである。従って、塗布ヘッド２３を狭小域塗布作業モードに設定して、容器本体１１を逆さにし、ノズル本体２２の小さな塗布作業面２２Ｃにより被塗布部の狭小な塗布対象域への塗布を行なうとき、塗布ヘッド２３はノズル本体２２の基部寄りに嵌合状態で待機せしめられ、塗布ヘッド２３がブラブラして塗布作業の邪魔になることがない。即ち、塗布作業性を向上できる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明にあっては、塗布ノズルの導液路の内径と注出口の口径とを同等とするものであっても良い。
【００３４】
【発明の効果】
以上のように本発明によれば、塗布ノズルが狭域塗布用のノズル本体の先端部回りに広域塗布用の塗布ヘッドを備えるに際し、塗布作業性を向上することができる。
【図面の簡単な説明】
【図１】図１は液体塗布容器を示す模式図である
【図２】図２は塗布ノズルを示す模式図である。
【図３】図３は塗布ノズルにおける塗布ヘッドの上下切換設定状態を示す模式図である。
【図４】図４は塗布ノズルの液ダレ保留状態を示す模式図である。
【符号の説明】
１０  液体塗布容器
１１  容器本体
２０  塗布ノズル
２２  ノズル本体
２２Ａ  先端細径部（先端部）
２２Ｃ  塗布作業面
２３  塗布ヘッド
２３Ａ  嵌合係止部
２３Ｃ  塗布作業面
２４Ａ  液ダレ保留溝
３１  上係止部
３２  下係止部
【図１】
0003973057.tif 000002
【図２】
0003973057.tif 000003
【図３】
0003973057.tif 000004
【図４】
0003973057.tif 000005